(57)【要約】      （修正有）【課題】白菜を鉢巻きする紐を上腕から腕と一体となって操り出せる様に工夫した白菜の鉢巻き用ナスカン具を提供する。【解決手段】ナスカン具本体１で、フック部２の端部３に弾性材４を、上部５に近接して設けたことを特徴とする上腕に付けて使用する白菜の鉢巻き用ナスカン具。【選択図】図１
2019132419.tif 000002
【特許請求の範囲】
【請求項１】
ナスカン具本体（１）で、フック部（２）の端部（３）に弾性材（４）を、上部（５）に近接して設けたことを特徴とする上腕に付けて使用する白菜の鉢巻き用ナスカン具。
【発明の詳細な説明】
【技術の分野】
【０００１】  本発明は、白菜の霜除けの為の鉢巻きを効率よくする為の道具に関する。
【背景の技術】
【０００２】  これまで白菜は霜除けの為に外側の葉を中へ寄せて紐で縛って鉢巻きをしていたが紐が周囲の葉っぱに引っかかって思うように巻けず著るしく能率が上らなかった。
【先行技術】
【０００３】実用新案登録３２１２５３５
【発明の概要】
【発明が解決しようとする課題】
【０００４】  これまで白菜の鉢巻きで紐が周囲の白菜の葉っぱに引っかかるのは白菜の背丈は人の腰くらいの高さまでですが、鉢巻きの紐を白菜の背丈よりも低い位置から操り出しているのが原因であった。更に紐が風に煽られるのも紐がからむ原因であった。それで白菜を鉢巻きする紐を上腕から腕と一体となって操り出せる様に工夫した。
【課題を解決する為の手段】
図面にもと付いて説明します。（１）はナスカン具本体である。（２）はナスカン具本体（１）のフック部で、（３）はフック部（３）の端部で、端部（３）には弾性材（４）をナスカン具本体（１）の上部（５）に近接して設けた。ナスカン具本体（１）の背面には面ファスナー雄（１１）を付設した。ナスカン具本体（１）の両サイドには開口部（Ａ）と（Ｂ）を設け、開口部（Ａ）の側片（Ｃ）には、伸縮性ベルト（７）を付設し、ナスカン具本体（１）の背面の面ファスナー雄（１１）を上腕に押し付け服地に付着し伸縮性ベルト（７）を上腕に回してきて開口部（Ｂ）へ差し込み強く引っぱって側片（Ｄ）で折り返して面ファスナー雄部（８）を面ファスナー雌部（９）へ付着させる。ナスカン具本体（１）の背面面ファスナー雄（１１）が衣服を傷めると言う向きには、衣服の上腕部に伸縮性環状ベルト（１２）を腕通す穴（１３）を介して、装着すれば良い。白菜を鉢巻きする紐は腰に吊るして、そこから引っぱり出した紐を上腕のナスカン具本体（１）の弾性材（４）と上部（５）の間から引き込みフック部（３）を経て腕に沿って指先に導き白菜に鉢巻きする。
【発明の効果】
上腕に取り付けたナスカン具本体（１）の弾性材（４）とナスカン具本体（１）の上部（５）との近接する間から白菜を巻く為の紐をナスカン具本体（１）内に引き込み紐を上腕から指先まで導き白菜に紐を鉢巻きすると紐が腕と一体となって白菜よりも上方の上腕から操り出されてくるから紐が余計な葉っぱに引っかかってトラブルことなく巻ける。風に煽られても腕と紐が一体となっているから腕の入るところに紐が着いてきて紐が安定して操り出せるし弾性材（４）上部（５）と近接しているから風で紐がナスカン具本体（１）内から外れることもない。また作業中に都合で、紐をナスカン具本体（１）内から取り外して作業を中断したり、また紐を嵌めて作業を続行したりの動作も弾性材（４）の柔軟性で容易に片手で出来て作業能率が上る。
【実施例】
【０００５】  図４は実施例で、ナスカン具本体（１ａ）で、端部（３）へ湾曲弾性材（４ａ）を設けナスカン具本体（１）の上部（５）に突出部（１０）を設けて、湾曲弾性材（４ａ）と突出部（１０）の間で鉢巻の紐の嵌め外しを更にスムーズにした。
【図面の簡単な説明】
【０００６】
【図１】本発明の斜視図である。
【図２】本発明の背面図で１部省略図である。
【図３】伸縮性環状ベルトの斜視図である。
【図４】本発明の実施例の斜視図である。
【産業上の利用の可能性】
【０００７】
【符号の説明】
【０００８】（１）及び（１ａ）は、ナスカン具本体。  （２）は、フック部。  （３）は、端部。
（４）は、弾性材。                      （４ａ）は、湾曲弾性材。
（５）は、上部。                        （７）は、伸縮性ベルト。
（８）は、面ファスナー雄部。            （９）は、面ファスナー雌部。
（１０）は、突出部。                    （１１）は、背面面ファスナー雄。
（１２）は、伸縮性環状ベルト。          （１３）は、腕通す穴。
（Ａ）及び（Ｂ）は、開口部。            （Ｃ）及び（Ｄ）は、側片。
【図１】
2019132419.tif 000003
【図２】
2019132419.tif 000004
【図３】
2019132419.tif 000005
【図４】
2019132419.tif 000006
【手続補正書】
【提出日】平成31年3月6日(2019.3.6)
【手続補正１】
【補正対象書類名】明細書
【補正対象項目名】全文
【補正方法】変更
【補正の内容】
【発明の詳細な説明】
【技術の分野】
【０００１】  本発明は、白菜の霜除けの為の鉢巻きを効率よくする為の道具に関する。
【背影の技術】
【０００２】  これまで白菜は霜除けの為に外側の葉を中へ寄せて紐で縛って鉢巻きをしていたが紐が周囲の葉っぱに引っかかって思うように巻けず著るしく能率が上らなかった。
【先行技術】
【０００３】実用新案登録３２１２５３５
【発明の概要】
【発明が解決しようとする課題】
【０００４】  これまで白菜の鉢巻きで紐が周囲の白菜の葉っぱに引っかかるのは白菜の背丈は人の腰くらいの高さまでですが、鉢巻きの紐を白菜の背丈よりも低い位置から操り出しているのが原因であった。更に紐が風に煽られるのも紐がからむ原因であった。それで白菜を鉢巻きする紐を上腕から腕と一体となって操り出せる様に工夫した。
【課題を解決する為の手段】
図面にもと付いて説明します。（１）はナスカン具本体である。（２）はナスカン具本体（１）のフック部で、（３）はフック部（３）の端部で、端部（３）には弾性材（４）をナスカン具本体（１）の上部（５）に近接して設けた。ナスカン具本体（１）の背面には面ファスナー雄（１１）を付設した。ナスカン具本体（１）の両サイドには開口部（Ａ）と（Ｂ）を設け、開口部（Ａ）の側片（Ｃ）には、伸縮性ベルト（７）を付設し、ナスカン具本体（１）の背面の面ファスナー雄（１１）を上腕に押し付け服地に付着し伸縮性ベルト（７）を上腕に回してきて開口部（Ｂ）へ差し込み強く引っぱって側片（Ｄ）で折り返して面ファスナー雄部（８）を面ファスナー雌部（９）へ付着させる。ナスカン具本体（１）の背面面ファスナー雄（１１）が衣服を傷めると言う向きには、衣服の上腕部に伸縮性環状ベルト（１２）を腕通す穴（１３）を介して装着すれば良い。白菜を鉢巻きする紐は腰に吊るして、そこから引っぱり出した紐を上腕のナスカン具本体（１）の弾性材（４）と上部（５）の間から引き込みフック部（３）を経て腕に沿って指先に導き白菜に鉢巻きする。
【発明の効果】
ナスカン具本体（１）の背面面ファスナー雄（１１）を上腕の衣服に押し付ける事で安定よく片手で取り付ける際の助けとなる。
上腕に取り付けたナスカン具本体（１）の弾性材（４）とナスカン具本体（１）の上部（５）との近接する間から白菜を巻く為の紐をナスカン具本体（１）内に引き込み紐を上腕から指先まで導き白菜に紐を鉢巻きすると紐が腕と一体となって白菜よりも上方の腕から操り出されてくるから紐が余計な葉っぱに引っかかってトラブルことなく巻ける。風に煽られても腕と紐が一体となっているから腕の入るところに紐が着いてきて紐が安定して操り出せるし弾性材（４）上部（５）と近接しているから風で紐がナスカン具本体（１）内から外れることもない。また作業中に都合で、紐をナスカン具本体（１）内から取り外して作業を中断したり、また紐を嵌めて作業を続行したりの動作も弾性材（４）の柔軟性で容易に片手で出来て作業能率が上る。
【実施例】
【０００５】  図４は実施例で、ナスカン具本体（１ａ）で端部（３）へ湾曲弾性材（４ａ）を設けナスカン具本体（１）の上部（５）に突出部（１０）を設けて、湾曲弾性材（４ａ）と突出部（１０）の間で鉢巻の紐の嵌め外しを更にスムーズにした。
【図面の簡単な説明】
【０００６】
【図１】図１は、本発明の斜視図である。
【図２】図２は、本発明の背面図で１部省略図である。
【図３】図３は、伸縮性環状ベルトの斜視図である。
【図４】図４は、本発明の実施例の斜視図である。
【産業上の利用の可能性】
【０００７】
【符号の説明】
【０００８】（１）及び（１ａ）は、ナスカン具本体。（２）は、フック部。（３）は、端部。
（４）は、弾性材。                    （４ａ）は、湾曲弾性材。
（５）は、上部。                      （７）は、伸縮性ベルト。
（８）は、面ファスナー雄部。          （９）は、面ファスナー雌部。
（１０）は、突出部。                  （１１）は、背面面ファスナー雄。
（１２）は、伸縮性環状ベルト。        （１３）は、腕通す穴。
（Ａ）及び（Ｂ）は、開口部。          （Ｃ）及び（Ｄ）は、側片。
【手続補正２】
【補正対象書類名】特許請求の範囲
【補正対象項目名】全文
【補正方法】変更
【補正の内容】
【特許請求の範囲】
【請求項１】
ナスカン具本体（１）で、フック部（２）の端部（３）に弾性材（４）を、上部（５）に近接して設け、背面には、背面面ファスナー雄（１１）を設け、面ファスナー雄部（８）と面ファスナー雌部（９）付きの伸縮ベルト（７）を、ナスカン具本体（１）の側片（Ｃ）に付設し、上腕の衣服に背面面ファスナー雄（１１）を押し付け、伸縮性ベルト（７）で側片（Ｄ）を介して片手で締め付け装着することを特徴とする上腕に付けて使用する白菜の鉢巻用ナスカン具。